(57)【要約】【課題】着脱可能なスピーカユニットが電子機器に装着された場合に、装着されたスピーカユニットの特性に応じて、電子機器の出力特性を自動的に変化させることができる電子機器及びスピーカ制御方法を提供すること。【解決手段】着脱可能なスピーカユニットを装着可能な電子機器は、内蔵スピーカユニットを備える。第１のアンプは内蔵スピーカユニットを駆動する。第１の出力回路は、第１のアンプに第１の周波数帯域のオーディオ信号を出力する。第２のアンプは着脱可能なスピーカユニットを駆動する。複数の出力回路の各々は、第２のアンプに異なる周波数帯域のオーディオ信号を出力する。判定部は、着脱可能なスピーカユニットが電子機器に装着された場合、当該スピーカユニットの特性を表す情報を当該スピーカユニットから取得し、取得した情報に基づいて特性を判定する。選択部は、判定された特性に応じて、複数の出力回路のうちの１つを選択する。【選択図】      図３
2008085902.tif 000002
【特許請求の範囲】
【請求項１】
着脱可能なスピーカユニットを装着可能な電子機器であって、
内蔵スピーカユニットと、
前記内蔵スピーカユニットを駆動する第１のアンプと、
前記第１のアンプに第１の周波数帯域のオーディオ信号を出力する第１の出力回路と、
前記着脱可能なスピーカユニットを駆動する第２のアンプと、
それぞれ異なる周波数帯域のオーディオ信号を出力する複数の出力回路と、
前記着脱可能なスピーカユニットが前記電子機器に装着された場合に、前記着脱可能なスピーカユニットの特性を表す情報を前記着脱可能なスピーカユニットから取得し、前記情報に基づいて前記複数の出力回路から前記第２のアンプに出力する出力回路を選択する選択部と、
を具備することを特徴とする、電子機器。
【請求項２】
前記情報に基づいて前記着脱可能なスピーカユニットの特性を判定する判定部を更に具備し、前記選択部は、前記判定部により判定された前記特性に応じて、前記複数の出力回路のうちの１つを選択することを特徴とする、請求項１に記載の電子機器。
【請求項３】
前記複数の出力回路は、
第２の周波数帯域のオーディオ信号を出力する第２の出力回路と、
第３の周波数帯域のオーディオ信号を出力する第３の出力回路とを含み、
前記第１の周波数帯域及び前記第２の周波数帯域の各々は、中低音域に対応する周波数帯域であり、
前記第３の周波数帯域は、高音域に対応する周波数帯域であることを特徴とする、請求項１記載の電子機器。
【請求項４】
前記判定部が、前記着脱可能なスピーカユニットは高音用のスピーカであると判定した場合、前記選択部は、前記第３の出力回路を選択し、
前記判定部が、前記着脱可能なスピーカユニットは中低音用のスピーカであると判定した場合、前記選択部は、前記第２の出力回路を選択することを特徴とする請求項３記載の電子機器。
【請求項５】
前記第２の出力回路は、バンドパスフィルタを含み、前記第３の出力回路は、ハイパスフィルタを含むことを特徴とする、請求項３記載の電子機器。
【請求項６】
前記着脱可能なスピーカユニットを収容するスピーカ収容部を更に具備することを特徴とする、請求項１記載の電子機器。
【請求項７】
前記着脱可能なスピーカユニットが前記電子機器に装着された場合、
前記判定部は、前記着脱可能なスピーカユニットの識別回路に、信号線を介して接続され、
前記第２のアンプは、前記着脱可能なスピーカユニットのスピーカに、音声信号線を介して接続されることを特徴とする、請求項２記載の電子機器。
【請求項８】
前記判定部は、前記識別回路から前記信号線を介して、前記情報を取得することを特徴とする、請求項７記載の電子機器。
【請求項９】
前記判定部は、前記着脱可能なスピーカユニットの前記情報を、前記電子機器の起動時に取得することを特徴とする、請求項２記載の電子機器。
【請求項１０】
前記判定部は、前記着脱可能なスピーカユニットの前記情報を、前記電子機器の起動後であって前記着脱可能なスピーカユニットの前記電子機器への装着時に取得することを特徴とする、請求項２記載の電子機器。
【請求項１１】
筐体と、
前記筐体内に設けられた中低音用の第１のスピーカユニットと、
前記筐体内に設けられ、前記第１のスピーカユニットに中低音域に対応する第１の周波数帯域のオーディオ信号を出力する第１のオーディオ出力回路と、
前記筐体に設けられ、第２のスピーカユニットであって前記第２のスピーカユニットの特性を示す識別信号を出力するように構成された第２のスピーカユニットを取り外し可能に収容するスピーカ収容部と、
前記筐体内に設けられ、前記スピーカ収容部に前記第２のスピーカユニットが収容された場合、前記第２のスピーカユニットから出力される前記識別信号に応じて、前記第２のスピーカユニットが中低音用のスピーカユニットおよび高音用のスピーカユニットのいずれであるかを判定する判定部と、
前記筐体内に設けられ、前記判定部が前記第２のスピーカユニットは中低音用のスピーカユニットであると判定した場合、前記第１の周波数帯域のオーディオ信号を前記第２のスピーカユニットに出力し、前記判定部が前記第２のスピーカユニットは高音用のスピーカユニットであると判定した場合、前記第１の周波数帯域よりも高い第２の周波数帯域のオーディオ信号を前記第２のスピーカユニットに出力する第２のオーディオ出力回路と
を具備することを特徴とする、電子機器。
【請求項１２】
内蔵スピーカユニットと、前記内蔵スピーカユニットを駆動する第１のアンプと、前記第１のアンプに第１の周波数帯域のオーディオ信号を出力する第１の出力回路と、着脱可能なスピーカユニットを駆動する第２のアンプと、それぞれ異なる周波数帯域のオーディオ信号を出力する複数の出力回路とを備える、着脱可能なスピーカユニットを装着可能な電子機器に適用できるスピーカ制御方法であって、
前記着脱可能なスピーカユニットが前記電子機器に装着された場合、前記着脱可能なスピーカユニットの特性を表す情報を前記着脱可能なスピーカユニットから取得するステップと、
前記情報に基づいて、前記複数の出力回路から前記第２のアンプに出力する出力回路を選択するステップと、
を具備することを特徴とする、スピーカ制御方法。
【請求項１３】
前記情報に基づいて前記着脱可能なスピーカユニットの特性を判定するステップを更に具備し、前記選択するステップは、前記判定するステップにおいて判定された前記特性に応じて、前記複数の出力回路のうちの１つを選択することを特徴とする、請求項１２に記載のスピーカ制御方法。
【請求項１４】
前記複数の出力回路は、
第２の周波数帯域のオーディオ信号を出力する第２の出力回路と、
第３の周波数帯域のオーディオ信号を出力する第３の出力回路とを含み、
前記第１の周波数帯域及び前記第２の周波数帯域は、中低音域に対応する周波数帯域であり、
前記第３の周波数帯域は、高音域に対応する周波数帯域であることを特徴とする、請求項１２記載のスピーカ制御方法。
【請求項１５】
前記判定するステップが、前記着脱可能なスピーカユニットは高音用のスピーカであると判定した場合、前記選択するステップは、前記第３の出力回路を選択し、
前記判定するステップが、前記着脱可能なスピーカユニットは中低音用のスピーカであると判定した場合、前記選択するステップは、前記第２の出力回路を選択することを特徴とする、請求項１４記載のスピーカ制御方法。
【請求項１６】
前記第２の出力回路は、バンドパスフィルタを含み、前記第３の出力回路は、ハイパスフィルタを含むことを特徴とする、請求項１４記載のスピーカ制御方法。
【請求項１７】
前記取得するステップは、前記着脱可能なスピーカユニットが備える識別回路から、前記情報を取得することを特徴とする、請求項１２記載のスピーカ制御方法。
【発明の詳細な説明】
【技術分野】
【０００１】
本発明は一般に、スピーカを備える電子機器及び当該電子機器で使用されるスピーカ制御方法に関し、特に、着脱可能なスピーカを使用できる電子機器及び当該電子機器で使用されるスピーカ制御方法に関する。
【背景技術】
【０００２】
近年、パーソナルコンピュータ等の電子機器に対して、ＡＶ（audio-visual）機器と同様のＡＶ機能が求められる傾向にある。例えば、電子機器で再生される音声の質を高めたいという要求がある。より具体的には、電子機器で音楽及び映画を鑑賞する際には、より豊かな音声を楽しみ、電子機器でゲームをする際には、より迫力のある音声を楽しみたいというニーズがある。換言すれば、一つの電子機器で、その用途に応じてスピーカの出力特性を変化させたいというニーズがある。
【０００３】
このようなニーズを背景に、複数のスピーカを備えた電子機器や、外部スピーカを装着可能な電子機器等、種々の電子機器が開発されている。例えば、特許文献１には、主演算器とキーボードが一体となった本体と、前記本体の一辺に信号端子を介して着脱可能に設けられた表示器とを備える情報端末が開示されている。この情報端末の信号端子は、表示器を本体から取り外した状態で外部スピーカユニットを装着可能に形成されている。
【特許文献１】特開２００６−１０６８２１号公報
【発明の開示】
【発明が解決しようとする課題】
【０００４】
しかし、特許文献１に開示された情報端末は、外部スピーカを着脱可能ではあるが、外部スピーカの特性に応じて情報端末側のオーディオ出力特性を変化させるわけではない。
【０００５】
そこで、本発明は、着脱可能なスピーカユニットの特性に応じて、電子機器のオーディオ出力特性を自動的に変化させることができる電子機器及びスピーカ制御方法を提供することを目的とする。
【課題を解決するための手段】
【０００６】
上記課題を解決するために、本発明の一つの面によれば、着脱可能なスピーカユニットを装着可能な電子機器であって、内蔵スピーカユニットと、前記内蔵スピーカユニットを駆動する第１のアンプと、前記第１のアンプに第１の周波数帯域のオーディオ信号を出力する第１の出力回路と、前記着脱可能なスピーカユニットを駆動する第２のアンプと、それぞれ異なる周波数帯域のオーディオ信号を出力する複数の出力回路と、前記着脱可能なスピーカユニットが前記電子機器に装着された場合に、前記着脱可能なスピーカユニットの特性を表す情報を前記着脱可能なスピーカユニットから取得し、前記情報に基づいて前記複数の出力回路から前記第２のアンプに出力する出力回路を選択する選択部とを具備することを特徴とする電子機器が提供される。
【０００７】
また、本発明の別の面によれば、筐体と、前記筐体内に設けられた中低音用の第１のスピーカユニットと、前記筐体内に設けられ、前記第１のスピーカユニットに中低音域に対応する第１の周波数帯域のオーディオ信号を出力する第１のオーディオ出力回路と、前記筐体に設けられ、第２のスピーカユニットであって前記第２のスピーカユニットの特性を示す識別信号を出力するように構成された第２のスピーカユニットを取り外し可能に収容するスピーカ収容部と、前記筐体内に設けられ、前記スピーカ収容部に前記第２のスピーカユニットが収容された場合、前記第２のスピーカユニットから出力される前記識別信号に応じて、前記第２のスピーカユニットが中低音用のスピーカユニットおよび高音用のスピーカユニットのいずれであるかを判定する判定部と、前記筐体内に設けられ、前記判定部が前記第２のスピーカユニットは中低音用のスピーカユニットであると判定した場合、前記第１の周波数帯域のオーディオ信号を前記第２のスピーカユニットに出力し、前記判定部が前記第２のスピーカユニットは高音用のスピーカユニットであると判定した場合、前記第１の周波数帯域よりも高い第２の周波数帯域のオーディオ信号を前記第２のスピーカユニットに出力する第２のオーディオ出力回路とを具備することを特徴とする電子機器が提供される。
【０００８】
さらに、本発明の別の面によれば、内蔵スピーカユニットと、前記内蔵スピーカユニットを駆動する第１のアンプと、前記第１のアンプに第１の周波数帯域のオーディオ信号を出力する第１の出力回路と、着脱可能なスピーカユニットを駆動する第２のアンプと、それぞれ異なる周波数帯域のオーディオ信号を出力する複数の出力回路とを備える、着脱可能なスピーカユニットを装着可能な電子機器に適用できるスピーカ制御方法であって、前記着脱可能なスピーカユニットが前記電子機器に装着された場合、前記着脱可能なスピーカユニットの特性を表す情報を前記着脱可能なスピーカユニットから取得するステップと、前記情報に基づいて、前記複数の出力回路から前記第２のアンプに出力する出力回路を選択するステップとを具備することを特徴とするスピーカ制御方法が提供される。
【発明の効果】
【０００９】
本発明によれば、着脱可能なスピーカユニットが電子機器に装着された場合に、装着されたスピーカユニットの特性に応じて、電子機器のオーディオ出力特性を自動的に変化させることができる電子機器及びスピーカ制御方法を提供することができる。
【発明を実施するための最良の形態】
【００１０】
以下、本発明の実施形態について図面を参照しながら説明する。
【００１１】
まず、図１Ａ及び図１Ｂを参照しつつ、本発明の一実施形態に係る電子機器について説明する。この電子機器は、ノート型パーソナルコンピュータ、及びポータブルＤＶＤプレーヤといった、スピーカを備える任意の携帯型の電子機器であってよい。本明細書では、説明の都合上、携帯型の電子機器はノート型パーソナルコンピュータ（以下、「ノートＰＣ」と称する）１００であるものとして説明する。
【００１２】
図１Ａは、ノートＰＣ１００のディスプレイユニット１０を開いた状態を示す斜視図である。ノートＰＣ１００は、ディスプレイユニット１０と本体２０とを備える。ディスプレイユニット１０には、液晶ディスプレイにより構成される表示部１１が設けられている。本体２０には、電源スイッチ２１、タッチパッド２２、キーボード（ＫＢ）２３、及び、内蔵スピーカユニット（取り外し不可能なスピーカユニット）２４Ａ及び２４Ｂが設けられている。
【００１３】
また、ノートＰＣ１００には、着脱可能なスピーカユニットを装着することができる。図１Ａには、１組の高音用の着脱可能なスピーカユニット２５Ａ及び２５Ｂ、並びに、１組の中低音用の着脱可能なスピーカユニット２６Ａ及び２６Ｂが示されているが、いずれの組のスピーカユニットもノートＰＣ１００に装着することができる。なお、図１Ａは、ノートＰＣ１００に高音用の着脱可能なスピーカユニット２５Ａ及び２５Ｂが装着された状態を示している。
【００１４】
図１Ｂは、図１Ａに示すノートＰＣ１００から、着脱可能なスピーカユニット２５Ａ及び２５Ｂを取り外した状態を示す。図１Ｂに示されるように、ノートＰＣ１００の本体２０には、スピーカユニット（２５Ａ及び２５Ｂ、又は２６Ａ及び２６Ｂ）を取り外し可能に収容するスピーカ収容部２９Ａ及び２９Ｂが設けられている。スピーカ収容部２９Ａ及び２９Ｂの各々は、着脱可能なスピーカユニット（２５Ａ、２５Ｂ、２６Ａ、２６Ｂ）をノートＰＣ１００の本体２０内部に収容できるような形状に形成されている。スピーカ収容部２９Ａ及び２９Ｂの各々は、例えば、本体２０の表面に設けられた凹所から構成されている。なお、スピーカ収容部２９Ａ及び２９Ｂの各々は、着脱可能なスピーカユニットが装着されたときに、当該スピーカユニットをノートＰＣ１００に接続可能に構成されている。
【００１５】
１組の着脱可能なスピーカユニット（２５Ａ及び２５Ｂ、又は２６Ａ及び２６Ｂ）は、それぞれスピーカ収容部２９Ａ及び２９Ｂに収容されてノートＰＣ１００に接続される。なお、内蔵スピーカユニット２４Ａ及び２４Ｂも、ノートＰＣ１００の本体２０に収容されている。図１Ｂでは、スピーカ収容部２９Ａ及び２９Ｂ、並びに内蔵スピーカユニット２４Ａ及び２４Ｂが、ノートＰＣ１００の本体２０に設けられている。しかし、スピーカ収容部２９Ａ及び２９Ｂ、並びに内蔵スピーカユニット２４Ａ及び２４Ｂは、ノートＰＣ１００の筐体（本体２０、又はディスプレイユニット１０）の任意の場所に設けることができる。例えば、スピーカ収容部２９Ａ及び２９Ｂ、並びに内蔵スピーカユニット２４Ａ及び２４Ｂを、ノートＰＣ１００のディスプレイユニット１０に設けてもよい。また、スピーカ収容部２９Ａ及び２９Ｂを、ノートＰＣ１００のディスプレイユニット１０に設け、内蔵スピーカユニット２４Ａ及び２４Ｂを、ノートＰＣ１００の本体２０に設けてもよい。
【００１６】
ここで、図２を参照しつつ、外部スピーカユニット２５Ａ、２５Ｂ、２６Ａ、及び２６Ｂの各々の構成について説明する。
【００１７】
図２は、ノートＰＣ１００に着脱可能なスピーカユニット２５Ａの構成を示す概略図である。外部スピーカユニット２５Ａは、スピーカ２５０ａ、識別回路２５１ａ、及び接続用コネクタ２５２ａを備える。スピーカ２５０ａと接続用コネクタ２５２ａとは、２本の音声信号線２５５ａ及び２５６ａを介して接続されている。識別回路２５１ａと接続用コネクタ２５２ａとは、２本の信号線２５３ａ及び２５４ａを介して接続されており、ノートＰＣ１００は、これらの信号線２５３ａ及び２５４ａを介して当該スピーカユニットの特性を表す情報を外部スピーカユニット２５Ａから取得することができる。その他の外部スピーカユニット２５Ｂ、２６Ａ、及び２６Ｂも、外部スピーカユニット２５Ａの構成と同様の構成を有する。例えば、外部スピーカユニット２５Ｂは、スピーカ２５０ｂ、識別回路２５１ｂ、及び接続用コネクタ２５２ｂを備える。
【００１８】
次に、図３を参照しつつ、ノートＰＣ１００のシステム構成について説明する。
【００１９】
図３は、ノートＰＣ１００のシステム構成を示すブロック図である。図３に示されるように、ノートＰＣ１００は、ＣＰＵ１１１、ノースブリッジ１１２、主メモリ１１３、グラフィクスコントローラ１１４、ビデオメモリ（ＶＲＡＭ）１１５、液晶ディスプレイ１０、サウスブリッジ１１６、ＢＩＯＳ−ＲＯＭ１１７、ハードディスクドライブ（ＨＤＤ）１１８、光ディスクドライブ（ＯＤＤ）１１９、オーディオコントローラ１２０、エンベデッドコントローラ／キーボードコントローラＩＣ（ＥＣ／ＫＢＣ）１２１、電源回路１２２、ＡＣアダプタ１２３、バッテリ１２４、タッチパッド２２、キーボード（ＫＢ）２３、オーディオコーデック１２７、高音用出力回路１２８、中低音用出力回路１２９、中低音用出力回路１３０、スイッチ回路ＳＷ１並びにＳＷ２、スピーカアンプ１３１、スピーカアンプ１３２、並びに内蔵スピーカユニット２４Ａ及び２４Ｂ等を備える。なお、図３は、ノートＰＣ１００に、着脱可能なスピーカユニット２５Ａ及び２５Ｂが装着された状態を示している。
【００２０】
ＣＰＵ１１１は、ノートＰＣ１００の動作を制御するプロセッサである。ＣＰＵ１１１は、ハードディスクドライブ１１８から主メモリ１１３にロードされる、オペレーティングシステム（ＯＳ）及び各種のアプリケーションプログラムを実行する。また、ＣＰＵ１１１は、ＢＩＯＳ−ＲＯＭ１１７に格納されたＢＩＯＳ（Basic Input/Output System）も実行する。ＢＩＯＳは、周辺デバイスを制御するためのプログラムであり、ノートＰＣ１００の電源投入時に最初に実行される。
【００２１】
ノースブリッジ１１２は、ＣＰＵ１１１のローカルバスとサウスブリッジ１１６との間を接続するブリッジデバイスである。ノースブリッジ１１２は、ＡＧＰ（Accelerated Graphics Port）バスなどを介してグラフィクスコントローラ１１４との通信を実行する機能を有している。グラフィクスコントローラ１１４は、ノートＰＣ１００の液晶ディスプレイ１０を制御する表示コントローラである。グラフィクスコントローラ１１４は、ＯＳ又はアプリケーションプログラムによってＶＲＡＭ１１５に書き込まれた表示データから、液晶ディスプレイ１０に出力すべき表示信号を生成する。
【００２２】
サウスブリッジ１１６には、ＢＩＯＳ−ＲＯＭ１１７、ＨＤＤ１１８、ＯＤＤ１１９、オーディオコーデック１２７、及びＥＣ／ＫＢＣ１２１が接続されている。また、サウスブリッジ１１６は、ＨＤＤ１１８及びＯＤＤ１１９を制御するためのＩＤＥ（Integrated Drive Electronics）コントローラも備えている。更に、サウスブリッジ１１６は、オーディオ信号を生成するオーディオコントローラ１２０を備えている。オーディオコントローラ１２０から出力されるオーディオ信号は、オーディオコーデック１２７によってデジタル信号形式からアナログ信号形式に変換される。変換されたオーディオ信号は、高音用出力回路１２８及び中低音用出力回路１２９のうちの一方を介して、スピーカアンプ１３１に出力される。また、変換されたオーディオ信号は、中低音用回路１３０を介して、スピーカアンプ１３２に出力される。
【００２３】
ＥＣ／ＫＢＣ１２１は、電力管理のためのエンベデッドコントローラ（ＥＣ）と、タッチパッド２２及びキーボード（ＫＢ）２３を制御するためのキーボードコントローラ（ＫＢＣ）とが集積された、１チップマイクロコンピュータである。ＥＣ／ＫＢＣ１２１は、図１に示す電源スイッチ２１がオンされた時、電源回路１２２と共同してノートＰＣ１００の電源をオンにする。ノートＰＣ１００は、ＡＣアダプタ１２３を介して外部電源が供給される場合、外部電源によって駆動される。外部電源が供給されない場合、ノートＰＣ１００は、バッテリ１２４によって駆動される。
【００２４】
ＥＣ／ＫＢＣ１２１は、着脱可能なスピーカユニットがノートＰＣ１００に装着されると、装着されたスピーカユニットの識別回路から当該スピーカユニットの特性を表す情報を取得し、取得した情報に基づいて、装着されたスピーカユニットの特性を判定する判定部１２１Ａを備える。また、ＥＣ／ＫＢＣ１２１は、判定部１２１Ａの判定結果に応じて、高音用出力回路１２８及び中低音用出力回路１２９のうちの一方を選択する選択部１２１Ｂも備える。
【００２５】
高音用出力回路１２８、中低音用出力回路１２９、及びスイッチ回路ＳＷ１並びにＳＷ２は、高音域の周波数帯域のオーディオ信号及び中低音域の周波数帯域のオーディオ信号を、着脱可能なスピーカユニットに選択的に出力する出力回路として機能する。例えば、高音用の着脱可能なスピーカユニット２５Ａ及び２５Ｂが、それぞれノートＰＣ１００の収容部２９Ａ及び２９Ｂに装着された場合、判定部１２１Ａは、スピーカユニット２５Ａの識別回路２５１ａ及びスピーカユニット２５Ｂの識別回路２５１ｂから、これらのスピーカユニットの特性を表す情報を取得し、その特性を判定する。この場合、判定部１２１Ａは、装着されたスピーカユニット２５Ａ及び２５Ｂが高音用スピーカであると判定する。判定部１２１Ａの判定結果に基づいて、選択部１２１Ｂは、使用すべき出力回路として高音用出力回路１２８を選択する選択信号をスイッチ回路ＳＷ１、ＳＷ２に出力する。この結果、高音用出力回路１２８の入力は、スイッチ回路ＳＷ１を介してオーディオコーデック１２７に接続され、また高音用出力回路１２８の出力はスイッチ回路ＳＷ２を介してスピーカアンプ１３１に接続される。
【００２６】
一方、中低音用のスピーカユニット２６Ａ及び２６ＢがノートＰＣ１００に装着された場合、判定部１２１Ａは、スピーカユニット２６Ａ及び２６Ｂそれぞれの識別回路から、これらのスピーカユニットの特性を表す情報を取得し、その特性を判定する。この場合、判定部１２１Ａは、装着されたスピーカユニット２６Ａ及び２６Ｂが中低音用スピーカであると判定する。判定部１２１Ａの判定結果に基づいて、選択部１２１Ｂは、使用すべき出力回路として中低音用出力回路１２９を選択する選択信号をスイッチ回路ＳＷ１、ＳＷ２に出力する。この結果、中低音用出力回路１２９の入力はスイッチ回路ＳＷ１を介してオーディオコーデック１２７に接続され、中低音用出力回路１２９の出力はスイッチ回路ＳＷ２を介してスピーカアンプ１３１に接続される。
【００２７】
高音用出力回路１２８は、例えばハイパスフィルタ（ＨＰＦ）を含んでいる。ハイパスフィルタは、再生対象のオーディオ信号から高音域の周波数成分を抽出するフィルタ回路である。このハイパスフィルタは、例えば、中音域に対応する周波数帯域（例えば、数ｋＨｚ）よりも高いカットオフ周波数を有し、再生対象のオーディオ信号の周波数をカットオフ周波数よりも高い、高音域に対応する周波数帯域に制限する。高音用出力回路１２８によって、その周波数帯域を制限されたオーディオ信号は、スピーカアンプ１３１に出力される。
【００２８】
中低音用出力回路１２９及び１３０の各々は、例えばバンドパスフィルタ（ＢＰＦ）を含んでいる。バンドパスフィルタは、再生対象のオーディオ信号の周波数を中低音域に対応する周波数帯域（例えば、数ｋＨｚ）に制限するフィルタ回路である。中低音用出力回路１２９によって、その周波数帯域を制限されたオーディオ信号は、スピーカアンプ１３１に出力される。また、中低音用出力回路１３０によって、その周波数帯域を制限されたオーディオ信号は、スピーカアンプ１３２に出力される。
【００２９】
スピーカアンプ１３１は、ノートＰＣ１００に装着された外部スピーカユニット（２５Ａ及び２５Ｂ、又は２６Ａ及び２６Ｂ）を駆動するためのアンプである。スピーカアンプ１３１は、高音用出力回路１２８又は中低音用出力回路１２９から受け取ったオーディオ信号を増幅して、ノートＰＣ１００のスピーカ収容部２９Ａ及び２９Ｂに装着されたスピーカユニットを駆動するための信号を生成する。
【００３０】
スピーカアンプ１３２は、内蔵スピーカユニット２４Ａ及び２４Ｂを駆動するためのアンプである。スピーカアンプ１３２は、中低音用出力回路１３０から受け取ったオーディオ信号を増幅して、内蔵スピーカユニット２４Ａ及び２４Ｂを駆動するための信号を生成する。
【００３１】
図４を参照しつつ、ノートＰＣ１００と着脱可能なスピーカユニット（２５Ａ、２５Ｂ、２６Ａ、２６Ｂ）との間の接続関係を、より詳細に説明する。
【００３２】
図４は、ノートＰＣ１００のスピーカ収容部２９Ａ（図１Ｂ）に、着脱可能なスピーカユニット２５Ａが装着された場合における、ノートＰＣ１００と着脱可能なスピーカユニット２５Ａとの間の接続関係を説明するためのブロック図である。なお、図４では、説明の都合上、ノートＰＣ１００の構成要素のうちの一部のみ、即ち、ＥＣ／ＫＢＣ１２１、判定部１２１Ａ、及びスピーカアンプ１３１が示され、その他の構成要素は省略されている。
【００３３】
図４に示すように、着脱可能なスピーカユニット２５ＡがノートＰＣ１００のスピーカ収容部２９Ａ（図１Ｂ）に装着された場合、着脱可能なスピーカユニット２５Ａの識別回路２５１ａとＥＣ／ＫＢＣ１２１の判定部１２１Ａとは、信号線２５３ａ及び２５４ａを介して接続される。また、着脱可能なスピーカユニット２５Ａのスピーカ２５０ａとノートＰＣ１００のスピーカアンプ１３１とは、信号線２５５ａ及び２５６ａを介して接続される。
【００３４】
例えば、２本の信号線２５３ａ及び２５４ａの各々には、ビット（０、１）を割り当てることができる。この場合、ＥＣ／ＫＢＣ１２１の判定部１２１Ａは、２本の信号線２５３ａ及び２５４ａで構成されるビットデータ（例えば、「００」、「０１」、「１０」）を取得し、取得されたビットデータに基づいて、着脱可能なスピーカユニット２５Ａの特性を判定することができる。より具体的には、装着されたスピーカユニットから取得されたビットデータが「０１」の場合、ＥＣ／ＫＢＣ１２１の判定部１２１Ａは、当該スピーカユニットは高音用のスピーカであると判定し、取得されたビットデータが「１０」の場合、判定部１２１Ａは、当該スピーカユニットは中低音用のスピーカであると判定することができる。この判定部１２１Ａの判定結果に応じて、ＥＣ／ＫＢＣ１２１の選択部１２１Ｂは、上述したように高音用出力回路１２８と中低音用出力回路１２９のうちの一方を選択する。
【００３５】
なお、他の着脱可能なスピーカユニット２５Ｂ、２６Ａ、及び２６Ｂの各々も、着脱可能なスピーカユニット２５Ａと同様にノートＰＣ１００に接続される。
【００３６】
上述した実施形態に係る電子機器（ノートＰＣ１００）によれば、着脱可能なスピーカユニットが電子機器に装着された場合に、装着されたスピーカユニットの特性に応じて、電子機器のオーディオ出力特性を自動的に変化させることができる。
【００３７】
次に、図５を参照しつつ、本発明の一実施形態に係るスピーカ制御方法について説明する。
【００３８】
図５は、本発明の一実施形態に係るスピーカ制御方法を説明するためのフローチャートである。このスピーカ制御方法は、スピーカを備える任意の電子機器に適用することができる。以下、本実施形態に係るスピーカ制御方法を、上述したノートＰＣ１００に適用した場合を例に説明する。
【００３９】
まず、ユーザが、１組の着脱可能なスピーカユニット（２５Ａ及び２５Ｂ、又は２６Ａ及び２６Ｂ）を、それぞれノートＰＣ１００のスピーカ収容部２９Ａ及び２９Ｂに装着する（ステップＳ４００）。次に、ユーザはノートＰＣ１００の電源をオンにする（ステップＳ４０２）。ノートＰＣ１００が起動されると、ＥＣ／ＫＢＣ１２１の判定部１２１Ａは、装着されたスピーカユニットの識別回路から、当該スピーカユニットの特性を表す情報（例えば、ビットデータ「００」、「０１」、「１０」）を取得する（ステップＳ４０４）。取得された情報に基づいて、ＥＣ／ＫＢＣ１２１は、装着されたスピーカユニットの特性（例えば、装着されたスピーカユニットが高音用スピーカであるか否か）を判定する（ステップＳ４０６）。
【００４０】
装着されたスピーカユニットが高音用スピーカであると判定された場合（ステップＳ４０６でＹＥＳ）、ＥＣ／ＫＢＣ１２１の選択部１２１Ｂは、使用すべき出力回路として高音用出力回路１２８を選択して、ノートＰＣ１００の音声出力モード（出力特性）を高音質モードに設定する（ステップＳ４０８）。高音質モードは、再生対象のオーディオ信号に対応した音を高音質で出力するモードであり、例えば、ＤＶＤオーディオのような高品質のオーディオデータの再生に適したモードである。高音質モードにおいては、再生対象のオーディオ信号の高音域の周波数成分は高音用出力回路１２８を介して高音用スピーカユニットに出力され、また再生対象のオーディオ信号の中低音域の周波数成分は中低音用出力回路１３０を介して内蔵スピーカに出力される。したがって、ユーザが１組の高音用スピーカユニット２５Ａ及び２５Ｂをスピーカ収容部２９Ａ及び２９Ｂに装着した場合には、中低音用の内蔵スピーカ２４Ａ及び２４Ｂと、高音用スピーカユニット２５Ａ及び２５Ｂとによって、ＤＶＤオーディオのようなオーディオデータを高音質で再生することができる。
【００４１】
一方、装着されたスピーカユニットが中低音用スピーカであると判定された場合（ステップＳ４０６でＮＯ）、ＥＣ／ＫＢＣ１２１は、使用すべき出力回路として中低音用出力回路１２９を選択して、ノートＰＣ１００の音声出力モード（出力特性）を高音量モードに設定する（ステップＳ４１０）。高音量モードは、再生対象のオーディオ信号に対応した音を大きな音量で出力するモードであり、例えば、ゲームの効果音のような音を迫力のある大音量で出力するのに適したモードである。高音量モードにおいては、中低音用スピーカユニットおよび内蔵スピーカの各々は、中低音域のオーディオ信号によって駆動される。
【００４２】
なお、図４に示されるステップＳ４００乃至Ｓ４１０の処理は、上述した順序に限定されるものではない。例えば、ノートＰＣ１００の電源をオンにした後で（ステップＳ４０２）、着脱可能なスピーカユニットをノートＰＣ１００に装着し（ステップＳ４００）、ＥＣ／ＫＢＣ１２１の判定部１２１Ａが、装着されたスピーカユニットの識別回路から上記情報を取得してもよい（ステップＳ４０４）。
【００４３】
上述した実施形態に係るスピーカ制御方法によれば、着脱可能なスピーカユニットが電子機器（ノートＰＣ１００）に装着された場合に、装着されたスピーカユニットの特性（周波数特性）に応じて、電子機器のオーディオ出力特性を自動的に変化させることができる。
【００４４】
なお、本発明は、上記実施形態そのままに限定されるものではない。本発明は、実施段階では、その要旨を逸脱しない範囲で構成要素を変更して具現化できる。
【００４５】
また、上記実施形態に開示されている複数の構成要素を適宜に組み合わせることで、種々の発明を形成できる。例えば、実施形態に示される全構成要素から幾つかの構成要素を削除してもよい。更に、異なる実施形態にわたる構成要素を適宜組み合わせてもよい。
【図面の簡単な説明】
【００４６】
【図１Ａ】本発明の一実施形態に係る電子機器の斜視図である。
【図１Ｂ】着脱可能なスピーカユニットを外した状態の、図１に示す電子機器の斜視図である。
【図２】図１に示す電子機器に着脱可能なスピーカユニットの構成を示す概略図である。
【図３】図１に示す電子機器のシステム構成を示すブロック図である。
【図４】図１に示す電子機器と着脱可能なスピーカユニットとの間の接続関係を説明するためのブロック図である。
【図５】本発明の一実施形態によるスピーカ制御方法を説明するためのフローチャートである。
【符号の説明】
【００４７】
１０…ディスプレイユニット、１１…表示部（液晶ディスプレイ）、２１…電源スイッチ、２２…タッチパッド、２３…キーボード（ＫＢ）、２４Ａ…内蔵スピーカユニット、２４Ｂ…内蔵スピーカユニット、２５Ａ…着脱可能なスピーカユニット、２５Ｂ…着脱可能なスピーカユニット、２６Ａ…着脱可能なスピーカユニット、２６Ｂ…着脱可能なスピーカユニット、２９Ａ…スピーカ収容部、２９Ｂ…スピーカ収容部、１００…電子機器、１１１…ＣＰＵ、１１２…ノースブリッジ、１１３…主メモリ、１１４…グラフィクスコントローラ、１１５…ビデオメモリ（ＶＲＡＭ）、１１６…サウスブリッジ、１１７…ＢＩＯＳ−ＲＯＭ、１１８…ハードディスクドライブ（ＨＤＤ）、１１９…光ディスクドライブ（ＯＤＤ）、１２０…オーディオコントローラ、１２１…エンベデッドコントローラ／キーボードコントローラＩＣ（ＥＣ／ＫＢＣ）、１２１Ａ…判定部、１２１Ｂ…選択部、１２２…電源回路、１２３…ＡＣアダプタ、１２４…バッテリ、１２７…オーディオコーデック、１２８…高音用出力回路、１２９…中低音用出力回路、１３０…中低音用出力回路、１３１…スピーカアンプ、１３２…スピーカアンプ、２５０ａ…スピーカ、２５１ａ…識別回路、２５２ａ…接続用コネクタ、２５３ａ…信号線、２５４ａ…信号線、２５５ａ…音声信号線、２５６ａ…音声信号線。
【図１Ａ】
2008085902.tif 000003
【図１Ｂ】
2008085902.tif 000004
【図２】
2008085902.tif 000005
【図３】
2008085902.tif 000006
【図４】
2008085902.tif 000007
【図５】
2008085902.tif 000008